【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
無線メディア配信システムにおいて送信されたメディアの受信及び再生のための無線ステーションであって、該無線ステーションは、
物理層クロックを含み、ブロードキャストビーコンフレーム及び該ブロードキャストビーコンフレーム内に含まれたタイムスタンプを繰り返し受信し復号するための受信器及び復号器回路を更に含む物理層を備え、
前記物理層クロックは、前記物理層クロックの出力クロック信号を前記タイムスタンプに依存して制御するように構成され、
前記無線ステーションは更に、
アプリケーション層時刻同期プロトコルを使用して動作し、前記物理層クロックに接続されて、前記物理層クロックからのクロック信号を、クロックソースとして前記アプリケーション層時刻同期プロトコルによる使用に適した形式に変換するクロックインターフェースを含むアプリケーション層と、
前記アプリケーション層時刻同期プロトコルにより制御されてメディア再生を調整するオペレーティングシステムクロックと、
を備える、無線ステーション。
【請求項２】
前記アプリケーション層は、前記物理層クロックに接続された前記クロックインターフェースと外部クロックソースとの間で選択するように動作可能なアプリケーション層時刻同期プロトコルソースセレクタを含む、請求項１に記載の無線ステーション。
【請求項３】
前記外部クロックソースは、インターネットベースクロックソースである、請求項２に記載の無線ステーション。
【請求項４】
前記物理層クロックは、水晶発振器とカウント器とを含み、前記出力クロック信号は、前記カウント器内の値を前記受信タイムスタンプ内の値で上書きすることにより制御される、請求項１、２、又は３に記載の無線ステーション。
【請求項５】
前記物理層クロックは更に、現在の物理層クロックカウンタ値と前記タイムスタンプ内の受信された値との間のエラー値を判定し、前記物理層クロックが前記エラー値に依存してインクリメントされるレートを調整するためのレート制御回路を含む、請求項４に記載の無線ステーション。
【請求項６】
前記レート制御回路は、前記タイムスタンプ及び現在物理クロックカウンタ値を受信して前記タイムスタンプと前記現在物理クロックカウンタ値の間のエラー値を導き出すエラー計算ユニットと、前記エラー値を受信してレート補正を前記エラー値に依存して導き出すレート補正計算ユニットと、前記水晶発振器と前記カウント器との間に接続され、前記レート補正ユニットの出力を受信し、前記カウント器がインクリメントするレートを前記出力に依存して調整するレート調整ユニットとを含む、請求項５に記載の無線ステーション。
【請求項７】
前記物理層は、タイムスタンプ及びペア生成ユニットにおいて、前記物理層クロック及び前記タイムスタンプが受信された時刻での受信タイムスタンプから１対の値を生成するように構成され、前記アプリケーション層は、前記一対の値を受信するためのインターフェースを含み、アプリケーション層時刻同期プロトコルを前記一対の値に依存して補正するように構成される、請求項１、２、又は３に記載の無線ステーション。
【請求項８】
前記ステーションは、エラー値を他のステーションから受信し、該エラー値からシステムパフォーマンスの向上を判定するように構成される、請求項５又は６に記載の無線ステーション。
【請求項９】
前記エラー値は、前記アプリケーション層時刻同期プロトコルソースセレクタを制御するために使用される、請求項２及び８に記載の無線ステーション。
【請求項１０】
前記無線ステーションは、Ｗｉ−Ｆｉ伝送規格を利用する、請求項１から９のいずれかに記載の無線ステーション。
【請求項１１】
前記アプリケーション層は、ネットワーク時刻プロトコル（ＮＴＰ）を時刻同期プロトコルとして使用する、請求項１から１０のいずれかに記載の無線ステーション。
【請求項１２】
メディアソースは、前記ステーションに接続される、請求項１から１１のいずれかに記載の無線ステーション。
【請求項１３】
メディアソースは、前記インターネットを経由してアクセスされる、請求項１から１２のいずれかに記載の無線ステーション。
【請求項１４】
前記ステーションは、１対のステレオチャンネルの１つを再生するように構成され、前記エラー値は、前記一対のステレオチャンネル間の同期を判定するために使用される、請求項８に記載の無線ステーション。
【請求項１５】
無線メディア配信システムにおいて送信されたメディアの受信及び再生のために無線ステーションにおいてオペレーティングシステムクロックを制御するための方法であって、  ブロードキャストビーコンフレームを前記ステーションの物理層において受信するステップと、
前記ビーコンフレームを復号してタイムスタンプを導き出すステップと、
物理層クロックの出力クロック信号を前記タイムスタンプに依存して制御するステップと、
アプリケーション層において、前記物理層クロックの出力クロック信号を、クロックソースとしてアプリケーション層時刻同期プロトコルによる使用に適した形式に変換するステップと、
前記アプリケーション層時刻同期プロトコルを用いてオペレーティングシステムクロックを制御してメディア再生を調整するステップと、
を含む、方法。
【請求項１６】
前記アプリケーション層時刻同期プロトコル用クロックソースとしての前記物理層クロックと外部クロックソースとの間で選択するステップを含む、請求項１５に記載の方法。
【請求項１７】
前記外部クロックソースは、インターネットベースクロックソースである、請求項１６に記載の方法。
【請求項１８】
前記物理層クロックの出力クロック信号を制御するステップは、前記物理層クロック内のカウンタ値を前記タイムスタンプ内の値で上書きするステップを含む、請求項１５、１６、又は１７に記載の方法。
【請求項１９】
現在の物理層クロックカウンタ値と前記タイムスタンプ内の値との間のエラー値を判定するステップと、前記物理層クロックがインクリメントされるレートを前記エラー値に基づいて調整するステップとを含む、請求項１８に記載の方法。
【請求項２０】
レート補正を前記エラー値から導き出すステップと、前記カウンタがインクリメントされるレートを前記レート補正に依存して調整するステップとを含む、請求項１９に記載の方法。
【請求項２１】
前記物理層クロック及び前記タイムスタンプが受信された時刻での受信タイムスタンプから１対の値を生成するステップと、前記一対の値を前記アプリケーション層へのインターフェースに供給するステップと、前記アプリケーション層時刻同期プロトコルを前記１対の値に依存して補正するステップとを含む、請求項１５、１６、又は１７に記載の方法。
【請求項２２】
エラー値を他のステーションから受信するステップと、前記エラー値からシステムパフォーマンスの向上を判定するステップを含む、請求項１９、２０、又は２１に記載の方法。
【請求項２３】
メディアをブロードキャストするためのアクセスポイントと、メディアの受信及び再生ための複数のステーションとを備える無線メディア配信システムであって、
前記アクセスポイントは、前記アクセスポイントにおいて物理層クロックから導き出されたタイムスタンプを含むビーコンフレームを繰り返し送信するように構成され、
各ステーションは、前記各ビーコンフレーム内のタイムスタンプを受信及び復号し、ステーション物理層クロックの出力クロック信号を前記タイムスタンプに依存して制御し、前記ステーションのアプリケーション層において、前記物理層クロックの出力クロック信号を、アプリケーション層時刻同期プロトコル用クロックソースとして使用するように構成され、アプリケーション層時刻同期プロトコルはメディア再生を調整するためにオペレーティングシステムクロックを制御する、無線メディア配信システム。
【請求項２４】
前記ステーションは、請求項１から１４のいずれかに記載の無線ステーションを含む、請求項２３に記載の方法。